(57)【要約】【課題】吸着材が大気中に浮遊する浮遊物を吸着してしまい、又は吸着材が大気中の水分を吸着してしまい、本来、吸着対象物を吸着する孔や吸着サイトが塞がることで、吸着材の吸着機能が低下することを抑制する。【解決手段】生体物質を吸着する吸着材が収納された容器が袋中に包装された、吸着材収納容器パッケージであって、該パッケージはガスバリア性を有する、パッケージである。【選択図】図１
2019011132.tif 000002
【特許請求の範囲】
【請求項１】
生体物質を吸着する吸着材が収納された容器が袋中に包装された、吸着材収納容器パッケージであって、
該パッケージは、ＪＩＳ  Ｚ０２２２  シリカゲル実包法（４０℃×９０％ＲＨ）の測定において、水蒸気透過率が、５ｇ／ｍ２・ｄａｙ以下、及び／又はＪＩＳ  Ｋ７１２９
ｍｏｃｏｎ法（２０℃×５０％ＲＨ）の測定において、酸素透過率が１０ｍｌ／ｍ２・ｄａｙ・ａｔｍ以下を満たすガスバリア性を有する、パッケージ。
【請求項２】
生体物質を吸着する吸着材が収納された容器が袋中に包装された、吸着材収納容器パッケージであって、
該パッケージは２８０ｎｍ、３１５ｎｍ、３８０ｎｍの３点でのＵＶ透過率の平均値が５％以下であるＵＶ遮蔽性を有する、パッケージ。
【請求項３】
吸着材がメソポーラスシリカである、請求項１または２に記載のパッケージ。
【請求項４】
前記容器が管状容器であり、該管状容器が複数格納されたラックを有する、請求項１から３のいずれか１項に記載のパッケージ。
【請求項５】
前記容器は、蓋により密閉された、請求項１から４のいずれか１項に記載のパッケージ。
【請求項６】
前記容器及び／又は前記袋が、ＪＩＳ  Ｚ０２２２  シリカゲル実包法（４０℃×９０％ＲＨ）の測定において、水蒸気透過率が、５ｇ／ｍ２・ｄａｙ以下、及び／又はＪＩＳ
Ｋ７１２９  ｍｏｃｏｎ法（２０℃×５０％ＲＨ）の測定において、酸素透過率が１０ｍｌ／ｍ２・ｄａｙ・ａｔｍ以下を満たすガスバリア性を有する、請求項１から５のいずれか１項に記載のパッケージ。
【請求項７】
前記該パッケージは２８０ｎｍ、３１５ｎｍ、３８０ｎｍの３点でのＵＶ透過率の平均値が５％以下であるＵＶ遮蔽性を有する、請求項１及び３〜６のいずれか１項に記載のパッケージ。
【請求項８】
前記袋中に脱酸素剤を備える、請求項１から７のいずれか１項に記載のパッケージ。
【請求項９】
前記吸着剤は、大気酸素濃度以下の酸素濃度において容器中で収納される、請求項１〜８のいずれか１項に記載のパッケージ。
【請求項１０】
シリカ粉体が収納され、蓋により密閉された複数の管状容器、及び該複数の管状容器が格納されたラック、が袋中に包装され、
該ラックは、平面である頂面を有し、格納された複数の管状容器を覆う、ラック蓋を備える、シリカ粉体収納管状容器パッケージ。
【請求項１１】
シリカ粉体が収納され、蓋により密閉された複数の管状容器、及び該複数の管状容器が格納されたラック、が袋中に包装され、
前記袋は、袋本体よりも硬度が高い表示部を少なくとも一部に有する、シリカ粉体収納管状容器パッケージ。
【請求項１２】
前記袋はガゼットである、請求項１０又は１１に記載の粉体収納管状容器パッケージ。
【発明の詳細な説明】
【技術分野】
【０００１】
本発明は、主に生体物質を吸着させる吸着材を収納する容器が袋に包装されたパッケージに関する。
【背景技術】
【０００２】
近年、疾病の早期発見・診断への活用が注目されているペプチドをバイオマーカーとして使用するためには、被験者から採取した血液からペプチドを選択的に分離回収する必要がある。
血液からペプチドを分離回収する方法として、ペプチドがシリカのメソ孔に選択的に侵入して吸着される性質を利用して、メソ孔を有するシリカ（以下、メソポーラスシリカと称する。）をペプチドの吸・脱着材として用いることが行われている。
【０００３】
例えば、特許文献１には、血清又は血漿に含まれるペプチドを、ハニカム構造のメソポーラスシリカの乾式粉体と混合することにより、ペプチドをメソポーラスシリカのメソ孔内に吸着させて回収する方法が提案されている。  
【先行技術文献】
【特許文献】
【０００４】
【特許文献１】国際公開第２０１１／０６２２７０号
【発明の概要】
【発明が解決しようとする課題】
【０００５】
本発明者らは、このようなペプチドをメソポーラスシリカのメソ孔内に吸着させて回収する方法を実用化するに当たり、その性能を維持し、かつ大量のサンプルを効率よく取り扱うために、メソポーラスシリカを収納した管状容器の包装や配送の際に必要となるであろう課題を検討し、それらを解決する方法を見出した。
【０００６】
まず本発明の第一の課題は、メソポーラスシリカのような吸着材は、概して吸水性が高い。また、吸着材に更なる吸着サイトを設けるために、有機物による表面処理がされる場合がある。そのため、吸着材が大気雰囲気下に晒されることで、大気中に浮遊する浮遊物を吸着してしまい、本来、吸着対象物を吸着する孔や吸着サイトが塞がってしまう可能性があった。本発明の第一の課題は、このような状況を改善し、吸着材が有する吸着機能を十分に発揮させることである。
【０００７】
また、本発明の第二の課題は、メソポーラスシリカのような吸着材は、吸着材に更なる吸着サイトを設けるために、有機物による表面処理がされる場合がある。有機物による表面処理がされた吸着材が容器内に収納された状態で、光が照射され続けることで、吸着材表面の有機基が、特にエネルギーの高い紫外線のエネルギーにより、又は紫外線のエネルギーにより存在する酸素が反応しオゾンとなり該オゾンにより、変性する可能性があることがわかった。変性した有機基は吸着能を失い、吸着材の吸着能は低下する。本発明の第二の課題は、このような状況を改善し、吸着材が有する吸着機能を十分に発揮させることである。
【０００８】
そして本発明の第三の課題としては、メソポーラスシリカを用いるペプチドの分離回収方法は、血液中からペプチドを選択的に回収する方法として有効な方法であるが、今後、臨床への実用化に当たっては、分析装置による自動化、更には多くのサンプルを一度に分析可能とする仕組みが必要となる。
この分析装置による自動化や大量処理への対応を検討し、多くの被験者から採取した血液のペプチドをメソポーラスシリカに吸着させる作業効率の良い方法として、予めメソポーラスシリカを収納した複数の管状容器をラックに格納した形態を考えた。このような形態でメソポーラスシリカが収納された管状容器を複数提供することにより、複数の被験者からの血液を順に又は一度に管状容器に注入することで、注入された血液と予め管状容器に収納されたメソポーラスシリカとの接触がされ、作業効率が向上する。
ここで本発明者らは、袋中に包装された複数の管状容器が格納されたラックを提供すべく、実際に梱包を試みたところ、梱包後に袋の内容物を表示するためのラベリングを行う際、ラベルにシワが寄る、ラベルが傾く、ラベルの一部が袋から浮いてしまう、などの不具合が生じることが判明した。本発明は、シリカ粉体が収納された複数の管状容器を格納したラックを梱包する際に生じる上記課題を解決することを第三の課題とするものである。
【課題を解決するための手段】
【０００９】
本発明者らは、上記課題を解決すべく検討を重ね、生体物質を吸着可能な吸着材が収納される容器が袋中に包装された、吸着材収納容器パッケージに、ガスバリア性を付与することで、上記第一の課題を解決できることを見出した。
そして、上記第二の課題に対しては、生体物質を吸着可能な吸着材が収納される容器が袋中に包装された、吸着材収納容器パッケージに、特にエネルギーの高い紫外線を遮蔽するＵＶ遮蔽性を付与することで、上記第二の課題を解決できることを見出した。
また、上記第三の課題に対しては、ラベリングを行う際の不具合が、複数の管状容器を包装しているため袋の表面に凹凸が生じることに起因するものであることに想到し、その袋の材質の曲げ弾性率、ラックの形状を工夫したり、あるいはラベルを張り付ける部分だけ、相対的に硬度を高めるなどの手段により、上記第三の課題を解決しうることを見出した。
すなわち本発明は、以下の側面を含むものである。
【００１０】
（１）生体物質を吸着する吸着材が収納された容器が袋中に包装された、吸着材収納容器パッケージであって、
該パッケージはＪＩＳ  Ｚ０２２２  シリカゲル実包法（４０℃×９０％ＲＨ）の測定において、水蒸気透過率が、５ｇ／ｍ２・ｄａｙ以下、及び／又はＪＩＳ  Ｋ７１２９  ｍｏｃｏｎ法（２０℃×５０％ＲＨ）の測定において、酸素透過率が１０ｍｌ／ｍ２・ｄａｙ・ａｔｍ以下を満たすガスバリア性を有する、パッケージ。
（２）生体物質を吸着する吸着材が収納される容器が袋中に包装された、吸着材収納容器パッケージであって、
該パッケージは２８０ｎｍ、３１５ｎｍ、３８０ｎｍの３点でのＵＶ透過率の平均値が５％以下であるＵＶ遮蔽性を有する、パッケージ。
（３）吸着材がメソポーラスシリカである、（１）又は（２）に記載のパッケージ。
（４）前記容器が管状容器であり、該管状容器が複数格納されたラックを有する、（１）から（３）のいずれかに記載のパッケージ。
（５）前記容器は、蓋により密閉された、（１）から（４）のいずれかに記載のパッケージ。
（６）前記容器及び／又は前記袋が、ＪＩＳ  Ｚ０２２２  シリカゲル実包法（４０℃×９０％ＲＨ）の測定において、水蒸気透過率が、５ｇ／ｍ２・ｄａｙ以下、及び／又はＪＩＳ  Ｋ７１２９  ｍｏｃｏｎ法（２０℃×５０％ＲＨ）の測定において、酸素透過率が１０ｍｌ／ｍ２・ｄａｙ・ａｔｍ以下を満たすガスバリア性を有する、（１）から（５）のいずれかに記載のパッケージ。
（７）該パッケージは２８０ｎｍ、３１５ｎｍ、３８０ｎｍの３点でのＵＶ透過率の平均値が５％以下であるＵＶ遮蔽性を有する、（１）及び（３）から（６）のいずれかに記載のパッケージ。
（８）前記袋中に脱酸素剤を備える、（１）から（７）のいずれかに記載のパッケージ。（９）前記吸着剤は、大気酸素濃度以下の酸素濃度において容器中で収納される、（１）から（８）のいずれかに記載のパッケージ。
（１０）シリカ粉体が収納され、蓋により密閉された複数の管状容器、及び該複数の管状容器が格納されたラック、が袋中に包装され、
該ラックは、平面である頂面を有し、格納された複数の管状容器を覆う、ラック蓋を備える、シリカ粉体収納管状容器パッケージ。
（１１）シリカ粉体が収納され、蓋により密閉された複数の管状容器、及び該複数の管状容器が格納されたラック、が袋中に包装され、
該袋は、袋本体よりも硬度が高い表示部を少なくとも一部に有する、シリカ粉体収納管状容器パッケージ。
（１２）該袋はガゼットである、（１０）又は（１１）に記載のシリカ粉体収納管状容器パッケージ。
（１３）（１）から（９）のいずれかを満たす請求項（１０）から（１３）のいずれかに記載のシリカ粉体収納管状容器パッケージ。
（１４）前記ラックは、平面である頂面を有し、格納された複数の管状容器を覆う、ラック蓋を備える、（４）に記載のパッケージ。
（１５）前記袋は、袋本体よりも硬度が高い表示部を少なくとも一部に有する、（１）〜（９）のいずれかに記載のパッケージ。
【発明の効果】
【００１１】
本発明により、生体物質を吸着させる吸着材が、大気中に浮遊する浮遊物を吸着してしまい、又は吸着材が大気中の水分を吸着してしまい、本来、吸着対象物を吸着する孔や吸着サイトが塞がることで、吸着材の吸着機能が低下することを抑制できる。また本発明の別の効果としては、生体物質を吸着させる吸着材が光に含まれる紫外線が照射され続けることで、吸着材表面に存在する有機基が変性することを防止し、本来、吸着対象物を吸着する吸着サイトが変性することで、吸着材の吸着機能が低下することを抑制できる。また、シリカ粉体が収納された複数の管状容器を格納したラックを梱包し、ラベリングを行う際に、不具合が発生しないパッケージを提供できる。
【図面の簡単な説明】
【００１２】
【図１】本発明の一実施形態に係る吸着材収納容器パッケージを示す概念図である。また、図２に示すラックを、袋で包装する工程を示す概念図でもある。
【図２】シリカ粉体が収容された、複数の管状容器が正立格納されたラックを示す概念図である。
【発明を実施するための形態】
【００１３】
以下、本発明について、具体的な形態を示しながら詳細に説明するが、本発明は例示する具体的形態に限定されないことはいうまでもない。また、発明の説明において図面を用いるが、用いる図面はいずれも具体的実施形態を模式的に示すものであって、理解を深めるべく部分的な強調、拡大、縮小、又は省略等を行っており、各構成部材の縮尺や形状等を正確に表すものとはなっていない場合がある。
【００１４】
本発明の実施形態は、生体物質を吸着する吸着材が収納される容器が袋中に包装された、吸着材収納容器パッケージである。生体物質を吸着する吸着材は、生体物質を吸着できる材料であれば特に限定されず、シリカ粉体、その他、表面が修飾された金属粉、スチレンポリマー等の樹脂が挙げられる。シリカ粉体としては、好ましくは、ゼオライト、シリカゲル、メソポーラスシリカ等の多孔質シリカが挙げられる。特に本発明は、表面が有機基により修飾された多孔質シリカに有用な発明である。
【００１５】
以下、生体物質を吸着する吸着材がメソポーラスシリカである場合について、詳細に説明する。
本実施形態においてメソポーラスシリカは、典型的には生体物質含有液から生体物質を回収することに用いられるが、これに限られず、他の用途に用いられてもよい。
また、生体物質含有液としては、典型的には血液があげられるが、これに限られず、リンパ液、組織液（組織間液、細胞間液、間質液）、胸水、腹水、心嚢液等の漿膜腔液、脳脊髄液（髄液）、関節液（滑液）、眼房水（房水）、唾液、胃液、胆汁、膵液、腸液等の消化液、汗、涙、鼻水、尿、精液、膣液、羊水、乳汁などであってよい。
また、生体物質としては典型的にはペプチドがあげられるが、これに限られず、疾病の早期発見・診断のためのバイオマーカーとして使用できる生体物質が好ましく、例えば、核酸由来のバイオマーカー、タンパク質、脂質代謝物、糖質代謝物などであってよい。核酸にはＤＮＡおよびＲＮＡが含まれる。
【００１６】
メソポーラスシリカのメソ孔の細孔径は通常２ｎｍ以上であり、また通常５０ｎｍ以下、好ましくは２０ｎｍ以下、より好ましくは１０ｎｍ以下、更に好ましくは８ｎｍ以下、特に好ましくは５ｎｍ以下である。
メソ孔の細孔径は、分離回収の目的物である生体物質の種類に応じて設定することが好ましい。例えばペプチドを分離回収するためには、通常１ｎｍ以上、好ましくは２ｎｍ以上、より好ましくは３ｎｍ以上であり、通常１５ｎｍ以下、好ましくは１２ｎｍ以下、よりこのましくは１０ｎｍ以下である。
【００１７】
メソポーラスシリカは、メソ孔を有していれば、メソ孔に含まれないマクロ孔などの細孔を有していてもよいが、目的とする生体物質を選択性よく効率的に分離回収するために、メソ孔のみからなるものが好ましい。
なお、細孔径は、窒素ガス吸脱着法で測定した等温吸・脱着曲線から、Ｅ．Ｐ．Ｂａｒｒｅｔｔ，  Ｌ．Ｇ．Ｊｏｙｎｅｒ，  Ｐ．Ｈ．Ｈａｋｌｅｎｄａ，  Ｊ．Ａｍｅｒ．Ｃｈｅｍ．Ｓｏｃ．，ｖｏｌ．７３，３７３（１９５１）に記載のＢＪＨ法により算出される細孔分布曲線、即ち、細孔直径ｄ（ｎｍ）に対して微分窒素ガス吸着量（ΔＶ／Δ（ｌｏｇｄ）；Ｖは窒素ガス吸着容積）をプロットした図から求めることができるが、市販品についてはカタログ値を採用することができる。
【００１８】
また、メソポーラスシリカの単位重量当たりの細孔容積（本明細書ではこの「細孔容積／質量」で表される量を、単に「細孔容積」という。）は、通常０．１ｍｌ／ｇ以上、好ましくは０．２ｍｌ／ｇ以上、また通常１．５ｍｌ／ｇ以下、好ましくは１．２ｍｌ／ｇ以下である。細孔容積が上記下限未満では、吸・脱着性能に劣る傾向があり、上記上限を超えると接液処理で細孔構造や粒子が壊れやすくなり吸・脱着選択性が低下したり、粉もれが発生したりする。メソポーラスシリカの細孔容積は、吸着等温線の相対圧０．９８における窒素ガスの吸着量から求めることができるが、市販品についてはカタログ値を採用することができる。
【００１９】
メソポーラスシリカの形状は特に制限はなく、破砕状、球状等の粒状であってもよく、また、モノリスや造粒粒子であってもよい。また、特許文献１に記載されるハニカム構造のものであってもよい。造粒粒子の場合は、一次粒子間の空隙が大きいものが、生体液等との接触効率の面で好ましい。
【００２０】
メソポーラスシリカの大きさは、小さ過ぎると、全表面積（メソ孔内表面積と粒子外表面積との合計）に対して粒子外表面積が大きくなり、吸着効率、液との接触効率の面では有利である反面、吸着物質によっては、吸着選択性が下がるおそれがあり、逆に、大きい粒子では、粒子内の細孔長が長いために、接液処理時に生体液や洗浄水又は処理液が細孔内に浸透、拡散するのに時間がかかるようになり、吸・脱着や洗浄、生体物質の回収に長
時間を要し、好ましくない。
【００２１】
メソポーラスシリカの大きさには、回収対象の生体物質等に応じて最適値があり、一概には規定できないが、例えば、全粒子の８０％以上、好ましくは９０％以上、より好ましくは９５％以上の粒子の最大フェレ径が、好ましくは２０μｍ以上であり、より好ましくは５０μｍ以上であり、好ましくは１ｍｍ以下であり、より好ましくは８００μｍ以下である。
平均粒子径は、好ましくは５０μｍ以上、より好ましくは７０μｍ以上であり、好ましくは７００μｍ以下であり、より好ましくは６００μｍ以下である。
【００２２】
ここで、最大フェレ径とはいわゆる定方向接線径の最大値であり、球状粒子であればその直径に該当し、破砕状等の異形形状の粒子では、その粒子を２本の平行な定方向接線で挟んだ場合に、最もその線同士の間の間隔が長くなる箇所の長さに該当する。最大フェレ径は例えば、光学顕微鏡により粒子を観察し、画像解析を行うことで求めることができる（以下、最大フェレ径を「粒子サイズ」ということがある）。全粒子に占める所定の径の粒子の割合は、任意に１００個以上の粒子を選択して求めることができる。
また、平均粒子径は一次粒子の粒子サイズの平均値である。平均粒子径は、レーザー回折・散乱式粒度分布測定装置（例えば、セイシン企業製レーザーマイクロンサイザーＬＭＳ−２４）等によって粒度分布を測定し、その結果から求めることができるが、市販品についてはカタログ値を採用することができる。
【００２３】
メソポーラスシリカは、比表面積が通常１００ｍ２／ｇ以上であり、好ましくは２００ｍ２／ｇ以上であり、また通常１２００ｍ２／ｇ以下、好ましくは１０００ｍ２／ｇ以下である。比表面積が上記下限以上であることで、目的物を効率的に吸・脱着することができる。上記上限以下であることで、多孔体の強度を担保することができ、吸・脱着材の耐久性を向上することができる。
なお、比表面積は、ＢＥＴ１点法により測定される。
【００２４】
メソポーラスシリカは、外表面に目的物質以外の物質が吸着するのを防ぐために、疎水化処理等の表面処理を施して用いてもよい。表面処理の例としては、メソポーラスシリカの外表面をシリコーン処理、トリメチルシリル化処理することで疎水化して、メソ孔を有する多孔体の細孔内のみに目的とする生体物質が選択的に吸着するように改質してもよい。この場合、メソ孔を有する多孔体の細孔内にもこのような処理が施されると、細孔内で目的物質が吸着し難くなるため、粒子の外表面のみに表面処理が施されるように、その処理の程度を調整することが重要である。
なお、表面処理に有機物を用いた場合には、有機物の分解を防ぐために、パッケージ全体として遮光性を施すことが好ましい。
【００２５】
本実施形態において容器は、容器のボトムを有し、且つ開口部を有する容器であり、生体物質を吸着する吸着材を収納できればよい。
容器の形状は特に限定されず、典型的には管状容器であるが、丸型フラスコのような容器や、矩形容器であってもかまわない。管状容器としては、管状部分を有する限り限定されず、容器の一部又は全体がテーパ形状や逆テーパ形状であってよい。即ち、管状容器の内径及び／又は外径は、その高さ方向に一定であってもよいが、高さ方向に漸増又は漸減する形態でもよい。
【００２６】
管状容器の内径は特段限定されないが、内径が高さ方向に略一定である場合、通常０．６ｃｍφ以上であり、０．８ｃｍφ以上であってよく、１．０ｃｍφ以上であってよい。また通常、３．０ｃｍφ以下であり、２．０ｃｍφ以下であってよく、１．５ｃｍφ以下であってよい。
管状容器の高さは特段限定されないが、生体物質含有液から生体物質を回収する用途である場合、通常、２ｃｍ以上であり、３ｃｍ以上であってよく、５ｃｍ以上であってよい。また、運搬、包装等を考慮すると、通常、１２ｃｍ以下であり、１０ｃｍ以下であってよく、８ｃｍ以下であってよい。
【００２７】
管状容器の材質は特に限定されないが、成形の容易さから樹脂製であることが好ましい。樹脂としては、熱硬化性樹脂であっても熱可塑性樹脂であってもよいが、製造効率の観点から射出成形が容易な熱可塑性樹脂であることが好ましい。
具体的に、管状容器を形成する好ましい樹脂としては、ポリプロピレン樹脂、ポリスチレン樹脂、ポリエチレン樹脂、ＰＦＡ等のフッ素樹脂、ポリエチレンテレフタレート樹脂があげられ、なかでも、ポリプロピレン樹脂が好ましい。なお、用いられる樹脂は１種のみでも、２種以上であってもよい。また、管状容器は単層であっても、複層であってもよい。複層である場合には、うち１層に後述する光線透過率やガス透過率の低い素材を用いることによって、ＵＶ遮蔽性やガスバリア性能を付与することもできる。
【００２８】
管状容器は、水や酸素の透過率が低い、すなわち、ガスバリア性能を有していることが好ましい。なお、本発明において、ガスバリア性を有するとは、水蒸気透過率が１日当たり１ｍ２あたりの水蒸気の透過量で５ｇ／ｍ２・ｄａｙ以下、より好ましくは３ｇ／ｍ２・ｄａｙ以下、最も好ましくは１ｇ／ｍ２・ｄａｙ以下であること、及び／又は、酸素透過率が１０ｍｌ／ｍ２・ｄａｙ・ａｔｍ以下、好ましくは５ｍｌ／ｍ２・ｄａｙ・ａｔｍ以下、最も好ましくは１ｍｌ／ｍ２・ｄａｙ・ａｔｍ以下、であることを意味する。このように、管状容器がガスバリア性を有すると、吸着剤の吸湿や表面修飾基の酸化による変質を抑制することができる。特に、メソポーラスシリカは、吸湿性に優れた面を持っているため調湿用途にも用いられているが、その反面、吸湿してしまうと、細孔内に水が吸着してしまうため、目的物質の吸着能力が低下する場合があるため、管状容器が、ガスバリア性を有することにより、水又は酸素による吸着能力の低下を抑制するのに効果的である。なお、上記の中でも、管状容器は、水と酸素の両方の透過率が低いことが好ましい。すなわち、管状容器は、水蒸気透過率が５ｇ／ｍ２／ｄａｙ以下であり、かつ、酸素透過率が１０ｍｌ／ｍ２・ｄａｙ・ａｔｍ以下であることが好ましい。
【００２９】
水蒸気透過率は、ＪＩＳ  Ｚ０２２２  シリカゲル実包法に準じた方法により測定することができる。また、酸素透過率は、ＪＩＳ  Ｋ７１２９  ｍｏｃｏｎ法に準じた方法により測定することができる。
【００３０】
管状容器にガスバリア性を付与するためには、容器をガスバリア性の高い材料で形成すること、管状容器にガスバリア層を付与すること、などの手段があげられる。
具体的には、酸素に対するガスバリア性を付与する場合、ポリアミド樹脂やエチレンビニルアルコール共重合体のような酸素ガス透過率の小さな素材で管状容器を形成することやその素材で構成されたフィルムを管状容器の外面又は内面に接着することで、ガスバリア性を付与することができる。
【００３１】
本実施形態においては、吸着材の吸着性能が低下することを抑制するため、容器は蓋により密閉されることが好ましい。蓋は容器を密閉できれば、容器と一体に形成されるものであってよく、別途準備されてもよい。密閉が可能であれば蓋の材質は特段限定されず、容器と同一の材質であってよく、異なる材質であってよい。容器と同一の樹脂材料である場合には、容器及び蓋を一体成形することもできる。また、シール材を管状容器の蓋として用い、管状容器の開口部を密閉してもよい。なお、蓋は遮光性やガスバリア性を付与してもよく、その場合には容器に係る説明を援用できる。
【００３２】
本実施形態においては、吸着剤が収納された容器は、ラックにより格納されていてもよ
い。特に、上記説明した容器が管状容器である場合、該管状容器の容器蓋が上部となるようにラックに正立格納されていることが好ましい。ラックは、典型的には、略立方体形状のラックの頂面に、管状容器が正立格納可能な穴が複数設けられたラックである。また、ラック蓋を用いる場合、ラックの蓋と嵌合するためなどの目的でラックは凹凸を有してもよい。
【００３３】
ラックの頂面に設けられた穴は、管状容器が格納可能である大きさであればよく、管状容器の最大径と略同一であってよく、管状容器の最大径よりも大きい径であってよい。また、穴の深さは特に限定されないが、管状容器の高さと略同一であってよく、管状容器の高さよりも浅くてよく、管状容器の高さの２分の１程度であってよい。
ラックの頂面に設けられた穴の個数は、ラック頂面の大きさ、管状容器の径、などから適宜決定され、ラックに格納された管状容器が蓋で密閉された際に、蓋の端部同士が重ならない程度の距離で穴が設けられることが好ましい。穴の個数は具体的には１０個以上であってよく、２０個以上であってよく、３０個以上であってよい。一方１００個以下であってよく、８０個以下であってよく、６０個以下であってよい。
ラックの頂面に設けられた穴の配置は、アトランダムであってもよいが、多くの管状容器を格納する観点から整列配置されてよく、管状容器が最密充填できるよう配置されてもよい。また、ラックの全ての穴に吸着剤が収納された容器が配置されてもよいし、一部の穴に吸着剤が収納された容器を配置してもよい。
【００３４】
ラックの形状は、典型的には立方体であるが、これに限られず、側面や底面が平面ではなく局面である形状であってよい。また、支柱を格子状に組んでラックを形成したものであってもよい。このような支柱を格子状に組んだラックである場合には、支柱間に管状容器を格納する間隙が形成されるため、特段穴を設ける必要はない。
【００３５】
ラックは、管状容器の飛散防止のため蓋を有してもよいが、必ずしも必要ではなく、飛散防止目的として、保護フィルムなどにより、管状容器及びラックを覆うなどしてもよい。
【００３６】
本実施形態では、吸着材が収納される容器が袋中に包装される。また、容器が管状容器の場合、複数の管状容器が正立格納されたラックと共に、袋中に包装されてもよい。袋は、開口部を有し、容器が包装可能であればよく、その大きさや材質は適宜決定される。またラックを包装する場合には、袋は複数の管状容器が正立格納されたラックを包装できればよい。
【００３７】
袋は、特段の制限はないが、ガゼット袋であることが好ましい。ガゼット袋とすることでラックの形状が矩形であっても、容易に包装することが可能であり、また包装の見栄えが良くなる。袋の材料は特段限定されないが、各種樹脂からなる袋であってよく、樹脂及び金属薄膜の積層体であってよい。用いられる樹脂は、ポリエチレンテレフタレート、ポリエチレン、ポリプロピレン、ナイロン等があげられる。用いられる金属は、特段の制限はないが、好ましくは、アルミニウムがあげられる。樹脂層及び金属層は１層のみであっても、２層以上であってもよい。袋の厚みは特に限定されないが、通常２０μｍ以上であり、５０μｍ以上であってよく、７０μｍ以上であってよい。また、通常、２００μｍ以下であり、１５０μｍ以下であってよく、１００μｍ以下であってよい。
【００３８】
袋は、ガスバリア性を有してもよい。ここでいうガスバリア性は、前述のとおりであり、好ましい水蒸気透過率及び／又は酸素透過率の値も同様である。このように袋がガスバリア性を有していれば、上述の管状容器がガスバリア性を有する場合と同様に、吸着剤の吸湿や表面修飾基の酸化による変質を抑制することができる。
袋にガスバリア性を付与するためには、袋をガスバリア性の高い材料で形成すること、
袋にガスバリア層を付与すること、などの手段があげられる。具体的には、酸素に対するガスバリア性を付与する場合、ポリアミド樹脂やエチレンビニルアルコール共重合体のような酸素ガス透過率の小さな素材で袋を形成することで、ガスバリア性を付与することができる。但し、通常、酸素と水蒸気といった複数のガスに対してのガスバリア性が要求されるため、各ガス透過率の小さな素材で構成する多層フィルムや、アルミニウム箔又はその蒸着フィルム層を有する多層フィルムを用いることが好ましい。アルミニウム箔・蒸着フィルム層を有する多層フィルムは、多様なガスに対するガスバリア性を持ち、ＵＶ遮蔽性も有する特に好ましい素材であるが、内部が見えないという欠点も併せ持つため、必要に応じて適宜選択する。
【００３９】
なお、上述の管状容器がガスバリア性を有している場合は、吸着剤の吸湿又は変性を抑制するために、袋はガスバリア性を有していてもよいし、ガスバリア性を有していなくてもよい。同様に、袋がガスバリア性を有している場合は、管状容器はガスバリア性を有していてもよいし、ガスバリア性を有していなくてもよい。
【００４０】
また、袋はＵＶ遮蔽性を有してもよい。袋にＵＶ遮蔽性を付与するためには、例えば袋を形成する樹脂に光吸収剤や光反射材を含有させること、袋に金属薄膜層により形成すること、袋に光吸収層や光反射層を付与すること、などの手段があげられる。このＵＶ遮蔽性に関しては、本発明の第二の課題に関する説明でより詳細に説明する。
【００４１】
複数の管状容器が格納されたラックを包装した袋は、その開口部を密封することが好ましい。密封の方法は限定されないが、例えば密封するための封止具を用いてもよく、ヒートシールを用いてもよい。
【００４２】
なお、本実施形態において、管状容器及び／又は袋がガスバリア性を有することが好ましい旨を記載したが、吸着材収納容器パッケージがガスバリア性を有する限りにおいて、これに限定されない。本発明において、吸着材収納容器パッケージがガスバリア性を有するとは、吸着剤収納容器パッケージを構成するいずれかの構成部材がガスバリア性を有することを意味する。すなわち、管状容器、袋、ラック、保護フィルム等のいずれかがガスバリア性を有していればよい。なかでも、本実施形態のように、管状容器及び袋の少なくとも一方が、ガスバリア性を有することが好ましい。
【００４３】
また、別の実施形態では、容器を包装する袋の材料が、破れにくい材料であってよい。吸着剤収納パッケージ同士が接触した際や、管状容器、ラック等の吸着剤収納パッケージを構成する部材が尖鋭部を有したり、角を有したり、することによって袋が破れることで、吸着剤収納パッケージのガスバリア性が失われる恐れがある。そのため具体的には、袋の引張強度が１×１０２ＭＰａ以上である、及び／又は、引張伸度が５００％以上であることが好ましい。このような袋を用いることで、吸着剤収納容器パッケージを構成する構成部材のいずれかが、尖鋭部又は角を有する場合であっても、袋が傷ついたり、破れたりすることを防ぐことができる。なお、袋の引張強度は、ＪＩＳ  Ｋ  ７１２７：１９９９に規定された方法により測定することができる。具体的には、温度２３℃、相対湿度６５％の環境下において試験片の長さ方向のそれぞれの端部を長さ方向に互いに離れるように引張速度１００ｍｍ／分で引張り、試験片が破断するときの強度を測定すればよい。また、袋の引張伸度は、ＪＩＳ  Ｋ  ７１２７：１９９９に規定される方法により測定することができ、具体的には、温度２３℃、湿度６５％の環境下で引張試験機で引張速度１００ｍｍ／分で引張り、破断した際の伸びの最大値を読み取ればよい。
【００４４】
なお、袋の保護の観点からは、袋の材質の引張強度は２×１０２ＭＰａ以上であることがさらに好ましく、３×１０２ＭＰａ以上であることが特に好ましく、一方、袋の引張伸度は６００％以上であることがさらに好ましく、７００％以上であることが特に好ましい
。
【００４５】
このような高い引張強度・伸度を有する袋の材質としては、ポリエステル樹脂、ポリプロピレン樹脂、ポリエチレン樹脂等があげられる。袋が積層体である場合には、うち一層がこのような物性を有する材料からなればよい。そのため、袋にガスバリア性を付与する場合、例えば、これらの樹脂フィルムに、ガスバリア性を付与するために、金属又は金属酸化物層等を積層させることが好ましい。
【００４６】
また、別の実施形態では、容器を包装する際の袋に、脱酸素剤を備えていてもよい。このような形態により、袋中の酸素濃度を低減させ、吸着サイトとして表面に存在する有機物の変性を抑制し、吸着材の性能低下を抑制することができる。  
脱酸素剤としては特段限定されず、鉄の酸化を利用して酸素を吸収するものであってもよく、糖などの酸化を利用して酸素を吸収するものであってもよい。市販のもの、例えば三菱瓦斯化学株式会社製エージレスＴＭなどであってよい。
【００４７】
以下、本発明の具体的な実施形態を図により説明する。
図１は、本実施形態に係る吸着材収納容器パッケージ１０を示す。
吸着材収納容器パッケージ１０は、管状容器１が複数正立格納されたラック２を、ガゼット袋３中に包装されてなる。
管状容器１は、例えばエッペンドルフチューブであってよく、内部にメソポーラスシリカなどの吸着材が収納される。管状容器１において蓋は無くてもよいが、内容物の飛び散りやガスバリア性を考慮すると、蓋付きであることが好ましく、蓋により密閉されることが好ましい。
複数の管状容器１は、ラック２に正立格納される。ラック２は必ずしも必要ではないが、例えば吸着材が収納された複数の管状容器１を用いて、検査・分析を行う際には、ラック２を用いることが取扱い性に優れ、また簡便である。ラック２は、図に示すように、管状容器１の飛散防止目的で、保護フィルムなどで保護されてもよい。
【００４８】
ラック２は、ガゼット３袋中で包装され、吸着材収納容器パッケージ１０となる。ガゼット袋３は、ラック２を包装できればガゼットではなくてもよい。吸着材収納容器パッケージ１０はガスバリア性を有し、そのため、管状容器１及び／又はガゼット袋３は、ガスバリア性を有する素材からなることが好ましい。
【００４９】
本実施形態の吸着材収納容器パッケージ１０は、このようにガスバリア性を有することで、容器に収納された吸着材が、実際の検査・分析の場面に用いられるまでに、その吸着性能が劣化することを抑制できる。そして、本実施形態は、一度に多くのサンプルを検査・分析するためのパッケージとして有用である。
【００５０】
（ＵＶ遮蔽性について）
続いて本発明の第２の課題であるＵＶによる特性低下の可能性を低減させるためＵＶ遮蔽性について説明する。本発明においては、パッケージが、２８０ｎｍ、３１５ｎｍ、３８０ｎｍの３点でのＵＶ透過率の平均値が５％以下であることをもってＵＶ遮蔽性を有するとしている。このＵＶ遮蔽性は、管状容器とこれを包む袋それぞれのＵＶ遮蔽性の掛け算となる。もちろん好ましくは管状容器、袋のそれぞれがＵＶ透過率を５%以下とするＵＶ遮蔽性を有していることである。
本発明において、管状容器はＵＶ遮蔽性を有することが好ましい。特に、収納されるメソポーラスシリカが有機物で表面処理されているような吸着剤の場合、該吸着材表面の有機基が、特にエネルギーの高い紫外線のエネルギーにより発生したオゾンの影響により、吸着剤の有機基が変性する場合がある。そのため、管状容器がＵＶ遮蔽性を有することで、該吸着剤が変性するのを防止することができる。なお、本発明において管状容器がＵＶ
遮蔽性を有するとは、特に地上に到達するＵＶ−Ａ（波長３１５−３８０ｎｍ）、ＵＶ−Ｂ（波長２８０−３１５ｎｍ）の範囲での管状容器の平均透過率が２０％以下であることを意味する。この測定は、２８０ｎｍから３８０ｎｍの範囲を１ｎｍおきに測定して平均値を求めてもよいが、通常はＵＶ光の範囲では波長が短い方が透過しにくいので、簡易的に２８０ｎｍ、３１５ｎｍ、３８０ｎｍの３点をとり、この平均を求めればよい。なお、より好ましくは、管状容器の２００〜３８０ｎｍの波長における平均透過率が２０％以下であることである。この平均透過率は、通常の、紫外・可視近赤外分光光度計を用いて、ＪＩＳ  Ｒ  ３１０６：１９９８に準じた方法により算出することができる。なお、上述の中でも、管状容器がＵＶ遮蔽性を有する場合、上記平均透過率は、１５％以下であることがさらに好ましく、１０％以下であることが特に好ましい。そしてより好ましくは、２８０ｎｍ、３１５ｎｍ、３８０ｎｍの３点での測定値がいずれも５％以下、より好ましくは２％以下であることであり、最も好ましくは、いずれも１％以下であることである。
【００５１】
管状容器にＵＶ遮蔽性を付与するためには、例えば管状容器を形成する樹脂に光吸収剤や光反射材を含有させること、管状容器に光吸収層や光反射層を付与すること、などの手段があげられる。
具体的には、トリアジン系、シアノアクリレート系、ベンゾフェノン系、ベンゾトリアゾール系等の紫外線吸収剤を樹脂にコーティングしたり、樹脂に添加することによって、ＵＶ光を吸収し遮蔽する方法や、アルミニウム箔又はその蒸着フィルム層を有するフィルムを管状容器の外面又は内面に接着することで、ＵＶ光を反射し、ＵＶ遮蔽性を付与する方法が挙げられる。
【００５２】
また、本発明においては、管状容器ではなく袋にＵＶ遮蔽性を与えてもよく、管状容器にも袋にもＵＶ遮蔽性を与えてもよい。袋がＵＶ遮蔽性を有していても、上述の通り、容器に収納されるメソポーラスシリカが有機物で表面処理されているような、吸着剤が変性するのを防止することができる。なお、本発明において、袋がＵＶ遮蔽性を有するとは、上述の管状容器の場合と同様であり、好ましい範囲も同様である。なお、上述の管状容器がＵＶ遮蔽性を有している場合は、十分に吸着剤の変性を抑制することができるために、袋はＵＶ遮蔽性を有していてもよいし、ＵＶ遮蔽性を有していなくてもよい。同様に、袋がＵＶ遮蔽性を有している場合は、管状容器はＵＶ遮蔽性を有していてもよいし、ＵＶ遮蔽性を有していなくてもよい。どちらにしてもパッケージとしては十分なＵＶ遮蔽性が得られるからである。
【００５３】
袋にＵＶ遮蔽性を付与する方法は、特段の制限はなく、例えば袋を形成する樹脂にＵＶ吸収剤やＵＶ反射材を含有させること、袋に金属薄膜層により形成すること、袋にＵＶ吸収層やＵＶ反射層を付与すること、などの手段があげられる。
その他の態様については、ＵＶ遮蔽性を阻害しない限り、前述のガスバリア性を持たせる発明と共通である。
【００５４】
（ラベリングに関する改良）  
本発明は、前述のとおり、その第三の課題としているラベリングを行う際の不具合が、複数の管状容器を包装しているため袋の表面に凹凸が生じることに起因するものであることに想到した。
そこで、これを解決するいくつかの改良を提案する。
本実施形態においてラックは、複数の管状容器を格納できればよい。典型的には、略立方体形状のラックの頂面に、管状容器の容器蓋が上部側となるように正立格納可能な穴が複数設けられたラックである。なお、ラック蓋を用いる場合、ラック蓋と嵌合するためなどの目的で凹凸を有してもよい。図２に、複数の管状容器１がラック２に正立格納された例を示す。
【００５５】
ラック２の頂面に設けられた穴は、管状容器１が格納可能である大きさであればよく、管状容器の最大径と略同一であってよく、管状容器の最大径よりも大きい径であってよい。また、穴の深さは特に限定されないが、管状容器の高さと略同一であってよく、管状容器の高さよりも浅くてよく、管状容器の高さの２分の１程度であってよい。
ラック２の頂面に設けられた穴の個数は、ラック頂面の大きさ、管状容器の径、などから適宜決定され、ラックに格納された管状容器が蓋で密閉された際に、蓋の端部同士が重ならない程度の距離で穴が設けられることが好ましい。穴の個数は具体的には１０個以上であってよく、２０個以上であってよく、３０個以上であってよい。一方１００個以下であってよく、８０個以下であってよく、６０個以下であってよい。
ラック２の頂面に設けられた穴の配置は、アトランダムであってもよいが、多くの管状容器を格納する観点から整列配置されてよく、管状容器が最密充填できるよう配置されてもよい。また、ラック２の全ての穴にシリカ粉体が収納された容器が配置されてもよいし、一部の穴にシリカ粉体が収納された容器を配置してもよい。
【００５６】
ラック２の形状は、典型的には立方体であるが、これに限られず、側面や底面が平面ではなく局面である形状であってよい。また、支柱を格子状に組んでラックを形成したものであってもよい。このような支柱を格子状に組んだラックである場合には、支柱間に管状容器を格納する間隙が形成されるため、特段穴を設ける必要はない。
【００５７】
ラックは、管状容器の飛散防止のためラック蓋を備えていてもよいが、必ずしも必要ではなく、飛散防止目的として後述する保護フィルムなどにより、管状容器及びラックを覆うなどしてもよい。
【００５８】
本実施形態では、シリカ粉体が収納された複数の管状容器が正立格納されたラック、が袋中に包装される。袋は、開口部を有し、複数の管状容器が正立格納されたラックが包装可能であればよく、その大きさや材質は適宜決定される。図１に、シリカ粉体が収納された複数の管状容器が正立格納されたラック、が袋３中に包装される例を示す。なお、以下の説明は、既に行ったものと重複する箇所がある。
【００５９】
袋３は、特段の制限はないが、ガゼットであることが好ましい。ガゼットとすることでラックの形状が矩形であっても、容易に包装することが可能であり、また包装の見栄えが良くなる。袋３の材料は特段限定されないが、各種樹脂からなる袋であってよく、樹脂及び金属薄膜の積層体であってよい。用いられる樹脂は、ポリエチレンテレフタレート、ポリエチレン、ポリプロピレン、ナイロン等があげられる。用いられる金属は、特段の制限はないが、好ましくは、アルミニウムがあげられる。樹脂層及び金属層は１層のみであっても、２層以上であってもよい。袋４の厚みは特に限定されないが、通常２０μｍ以上であり、５０μｍ以上であってよく、７０μｍ以上であってよい。また、通常、２００μｍ以下であり、１５０μｍ以下であってよく、１００μｍ以下であってよい。
この袋は、前述のガスバリア性、ＵＶ遮蔽性を備えていることがより好ましいことは言うまでもない。
【００６０】
ラック２の頂面に設けられた穴は、管状容器１が格納可能である大きさであればよく、管状容器の最大径と略同一であってよく、管状容器の最大径よりも大きい径であってよい。また、穴の深さは特に限定されないが、管状容器の高さと略同一であってよく、管状容器の高さよりも浅くてよく、管状容器の高さの２分の１程度であってよい。
ラック２の頂面に設けられた穴の個数は、ラック頂面の大きさ、管状容器の径、などから適宜決定され、ラックに格納された管状容器が蓋で密閉された際に、蓋の端部同士が重ならない程度の距離で穴が設けられることが好ましい。穴の個数は具体的には１０個以上であってよく、２０個以上であってよく、３０個以上であってよい。一方１００個以下であってよく、８０個以下であってよく、６０個以下であってよい。
ラック２の頂面に設けられた穴の配置は、アトランダムであってもよいが、多くの管状容器を格納する観点から整列配置されてよく、管状容器が最密充填できるよう配置されてもよい。また、ラック２の全ての穴にシリカ粉体が収納された容器が配置されてもよいし、一部の穴にシリカ粉体が収納された容器を配置してもよい。
【００６１】
ラック２の形状は、典型的には立方体であるが、これに限られず、側面や底面が平面ではなく局面である形状であってよい。また、支柱を格子状に組んでラックを形成したものであってもよい。このような支柱を格子状に組んだラックである場合には、支柱間に管状容器を格納する間隙が形成されるため、特段穴を設ける必要はない。
【００６２】
ラックは、管状容器の飛散防止のためラック蓋を備えていてもよいが、必ずしも必要ではなく、飛散防止目的として後述する保護フィルムなどにより、管状容器及びラックを覆うなどしてもよい。
【００６３】
本実施形態では、シリカ粉体が収納された複数の管状容器が正立格納されたラック、が袋中に包装される。袋は、開口部を有し、複数の管状容器が正立格納されたラックが包装可能であればよく、その大きさや材質は適宜決定される。図２に、シリカ粉体が収納された複数の管状容器が正立格納されたラック、が袋３中に包装される例を示す。
【００６４】
袋３は、特段の制限はないが、ガゼットであることが好ましい。ガゼットとすることでラックの形状が矩形であっても、容易に包装することが可能であり、また包装の見栄えが良くなる。袋３の材料は特段限定されないが、各種樹脂からなる袋であってよく、樹脂及び金属薄膜の積層体であってよい。用いられる樹脂は、ポリエチレンテレフタレート、ポリエチレン、ポリプロピレン、ナイロン等があげられる。用いられる金属は、特段の制限はないが、好ましくは、アルミニウムがあげられる。樹脂層及び金属層は１層のみであっても、２層以上であってもよい。袋４の厚みは特に限定されないが、通常２０μｍ以上であり、５０μｍ以上であってよく、７０μｍ以上であってよい。また、通常、２００μｍ以下であり、１５０μｍ以下であってよく、１００μｍ以下であってよい。
【００６５】
複数の管状容器が正立格納されたラックを包装した袋３は、その開口部を密封することが好ましい。密封の方法は限定されないが、例えば密封するための封止具を用いてもよく、ヒートシールを用いてもよい。
【００６６】
袋中に包装された複数の管状容器及びラックは、保護フィルムにより一部が、又は全体が被覆されていてもよい。このように保護フィルムにより被覆することで、管状容器の蓋が尖鋭部を有する場合や、ラックが矩形であり角を有する場合であっても、保護フィルムにより被覆されるため、包装する袋に傷が付くこと、及び／又は包装袋が破れること、を防止することができる。
【００６７】
保護フィルムは、袋に傷が付かないように、及び／又は袋が破れないように保護できればよく、その材質は特段限定されず、一定の引張破断伸度を有する樹脂性のフィルムであってもよい。樹脂製のフィルムの具体例としては、ポリプロピレン、ポリエチレン、ポリ塩化ビニリデン、ポリビニルアルコール、ナイロン、ポリエステル、アルミ蒸着フィルムなどがあげられる。
保護フィルムの厚みは特に限定されないが、薄過ぎると保護フィルムが破れやすいため、通常、１０μｍ以上であり、１５μｍ以上であってよく、２０μｍ以上であってよく、また厚すぎる場合には嵩張るため、通常、５０μｍ以下であり、４０μｍ以下であってよく、３０μｍ以下であってよい。
【００６８】
また、保護フィルムは、引張強度が２０ＭＰａ以上であることが、袋の保護の観点から
好ましく、５０ＭＰａ以上であってよく、１００ＭＰａ以上であってよい。引張伸度が４０％以上であることが、袋の保護の観点から好ましく、１００％以上であってよく、５００％以上であってよい。
【００６９】
保護フィルムにより複数の管状容器が正立格納されたラックを被覆する際には、管状容器やラックと密着被覆することが好ましい。密着被覆するためには、伸縮性を有するフィルムで被覆する方法や、熱収縮を利用して被覆するなどの方法を採用してもよい。
【００７０】
本実施形態では、上記説明をした構成を有するシリカ粉体収納管状容器パッケージに関し、管状容器を格納したラックを梱包し、梱包後に袋の内容物を表示するためのラベリングを行う際の不具合を抑制するものである。そして、ラベリングを行う際の不具合が、複数の管状容器を包装しているため袋の表面に凹凸が生じることに起因するものであることを見出し、以下のような構成を有することで、不具合を抑制するに至った。
【００７１】
一つの実施形態では、袋の素材に弾力性を持たせることで、管状容器による凹凸を袋の素材で吸収し、袋表面に凹凸を生じ難くさせるものである。より具体的には、袋をその材質が曲げ弾性率を５×１０２ＭＰａ以上のものとすればよく、なかでも、８×１０２ＭＰａ以上とすることが好ましく、１×１０３ＭＰａ以上とすることがさらに好ましく、通常、４×１０３ＭＰａ以下である。このような曲げ弾性率を有する素材としては、一般的には高密度ポリエチレンを用いたフィルムが用いられるが、更に高い弾性率を要求される用途には、ポリアミドやガラス繊維を用いたフィルム等があげられる。なお、曲げ弾性率は、温度２３℃、相対湿度６５％、曲げ速度１ｍｍ／分として、ＪＩＳ  Ｋ７１７１：２００８に規定される方法により測定することができる。
【００７２】
なお、本実施形態においてラベリングは、例えば内容物を表示するシールであってよい。シールの素材は限定されず、紙製であっても、フィルム製であってもよい。ラベリングの際には、シールの貼着面に接着成分を付与することで袋に貼着してもよく、シールを樹脂製のフィルムとして、袋に熱貼着させてもよい。接着成分は特に限定されず、袋の素材を考慮して、適した接着剤を選択すればよい。
【００７３】
内容物を表示するシールは、内容物の情報を内部に保有するＩＣチップであってよい。また、内容物の情報を内部に保有するＩＣチップは、袋の表面に貼着する形態でなく、袋の内壁に貼着する、ラックの外壁に貼着する、ラック内部に配置する、単に袋に含有させる、などの方法で袋内部に入れることで、パッケージの管理を容易に行うことができる。
【００７４】
別の実施形態は、該ラックは、平面である頂面を有し、格納された複数の管状容器を覆うラック蓋、を備える形態である。このように平面である頂面を有する蓋を有することで、該平面の上で、袋上にシールを貼着すれば、ラベリング時の不具合を抑制することが可能である。なお、本発明において、平面である頂面を有するラック蓋とは、１ｃｍ２以上の範囲において、算術平均粗さＲａが０．１５μm以下である面を有することを意味する。なお、算術平均粗さＲａはＪＩＳ  Ｂ０６０１：２０１３に規定された方法により求めることができる。
【００７５】
ラック蓋の素材は、上記のような物性を有していれば、特に限定されず、典型的には各種樹脂素材から形成される。具体的には、ポリプロピレン、ポリカーボネート、ポリスチレン等があげられる。また、頂面の大きさは、シールを不具合なく貼着できる程度の大きさであればよく、シールの大きさと同等、またはそれ以上であることが好ましい。矩形である場合には、蓋の頂面の大きさ、形状は、ラックの底面積の大きさ、形状と略同一であってもよい。
【００７６】
具体的にラック蓋の硬度は、特段の制限はないが、袋上にシールを張る際に、袋にシワが発生するのを防ぐために、ＪＩＳ  Ｋ７２１５：１９８６に規定されるタイプＤデュロメータにより測定される硬度は、６５以上であることが好ましく、８０以上であることがさらに好ましく、９０以上であることが特に好ましい。
【００７７】
別の実施形態は、該袋は、袋本体よりも硬度が高い部分を少なくとも一部に有する、形態である。このように、袋本体よりも硬度が高い部分を有することで、当該部分を表示部として、シールを貼着することができ、ラベリング時の不具合を抑制することが可能である。
【００７８】
表示部の大きさは特段限定されず、シールを不具合なく貼着できる程度の大きさであればよく、シールの大きさと同等、またはそれ以上であることが好ましい。
表示部を形成する方法は特段限定されないが、袋表面に、一定の大きさのポリプロピレン板などの硬度が高い樹脂版を貼着する方法が容易である。
【００７９】
別の実施形態は、該ラックが平面である底面を有する形態である。その場合には、シリカ収納管状容器パッケージの裏面にラベリングを行うことで、ラベリング時の不具合を抑制することができる。
【００８０】
また、シリカ粉体収納管状容器を格納したラックを、包装する前に、袋にラベリングする形態であってよい。この場合、ラベリングは、シールを貼着することの他、印刷による製品表示などであってもよい。
【００８１】
以下本発明に適用される素材を、実施例をもって例示するが、本発明はその要旨を超えない限り、実施例に限定されるものではない。
（ガスバリア性に関する実施例）
（実施例１）
袋の材質として、メイワバックス社製の型番ＦＢＣ（ＰＥＴ（ポリエチレンテレフタレート）１２ミクロン／接着剤／ＰＥＴ１２ミクロン／接着剤／ＬＬＤＰＥ（直鎖低密度ポリエチレン）７０ミクロン）を用いた。
この材質で袋を作成し、その容積を、１５６０ｍＬになるように、ヒートシールで加工した。
この袋の中に１１５℃、４時間で真空乾燥させた、約１００ｇのメソポーラスシリカ粉（三菱ケミカル社製  商品名メソピュア、細孔径４ｎｍ、細孔容積０．７３ｍＬ／ｇ、平均粒径（Ｄ５０）２５２μｍ、比表面積７２８ｍ２／ｇ）を石英ビーカーに仕込み、各袋の中に入れた。
【００８２】
また、脱酸素剤として三菱ガス化学社製エージレスＺ−２００ＰＫＣを２枚入れ、更に同社製酸素検知剤エージレスアイを２枚入れ、直ちにヒートシールで密封した。この袋を、エスペック社製小型環境試験（型式：ＳＨ−２４１）に入れて、温度６０℃、湿度９０％ＲＨの条件下で、５日間、及び９日間、保持した。また、同様にして密封した袋を、常温で３０日間放置した。その後、小型環境試験機から取り出し、シリカ粉の重量を測定し、その重量増加率を算出した。また、袋内の酸素濃度については、酸素検知剤エージレスアイの発色で判定した。酸素検知剤エージレスアイは、酸素濃度が、０．１％以下ではピンク色を呈し、酸素濃度０．５％以上では青色を呈する。発色は、ピンク色から青色に徐々に変化するため、比較として、大気中に放置して青色に変化させたエージレスアイの色と見比べて発色の判定を実施した。この結果を表１に示す。
【００８３】
（実施例２、比較例１）
実施例２として、使用する袋の材質をメイワバックス社製ＱＳＡＬ（ＰＥＴ（１２ミク
ロン／ＳＰＥ（ポリエチレン（ポリサンドラミネート））１５ミクロン／ＡＬ（アルミニウム）７ミクロン／ＳＰＥ２０ミクロン／ＬＬＤＰＥ（直鎖低密度ポリエチレン）４０ミクロン）に変えて同様の実験を行った。結果を表１に示す。また比較例１として、使用する袋の材質をメイワバックス社製ＳＧＣ（ＮＹ（ナイロン）１５ミクロン／接着剤／ＬＬＤ８０ミクロン）に変えて同様の実験を行った。この結果も表１に示す。
表１中の「青色」は、大気中に放置したものと同じ程度の「青色」であった。
【００８４】
この結果から、好ましい酸素透過率、水蒸気透過率の範囲が上述の明細書の範囲であることが判り、かつ最も好ましくは、それぞれ酸素透過率が０．５ｍｌ／ｍ２・ｄａｙ・ａｔｍ以下、水蒸気透過率も０．５ｇ／ｍ２・ｄａｙ以下であるものが、メソポーラスシリカに水が吸着されることが実質生じず、酸素が実質透過しないため、表面コート物質等の変質が起こりにくい状況に保たれることが判る。なお、表１中のメーカー測定値の水蒸気透過率は、ＪＩＳ  Ｚ０２２２  シリカゲル実包法(４０℃×９０％ＲＨ)により、また酸素透過率は、ＪＩＳ  Ｋ  ７１２９  ｍｏｃｏｎ法（２０℃×５０％ＲＨ）による測定値である。
【００８５】
【表１】
2019011132.tif 000003
【００８６】
（ＵＶ遮蔽性に関する実施例）
実施例３としてメイワバックス社製「ＱＳＡＬ」を使用し、ＵＶ透過率をＡｇｉｌｅｎｔ  Ｔｅｃｈｎｏｌｏｇｉｅｓ社製、Ｃａｒｙ７０００ＤＲＡを使用し、ＵＶ透過率を測定した。測定は２８０ｎｍから８００ｎｍの範囲を１ｎｍおきに測定することで行った。表２に、代表値として３８０ｎｍ、３５０ｎｍ、３１５ｎｍ、３００ｎｍ、２８０ｎｍでの測定値と、３８０ｎｍ、３１５ｎｍ、２８０ｎｍでの透過率の平均値を示す。ＵＶを全く透過しないため、本発明におけるＵＶ遮蔽性を有し、ＵＶが原因となる表面処理物質の変質が発生しないことが判る。
【００８７】
（実施例４、比較例３−５）
表２に示すとおり、袋の材質を変更した以外は、実施例３と同様の実験を行った。結果を表２に示す。表中のＤＬはドライラミネート接着剤であり、「ＣＰアルミ蒸着」は無延伸ポリプロピレンフィルムにアルミニウムを蒸着したものを表し、ＰＥはポリエチレンを表す。また、ＰＥＴ１２はポリエチレンテレフタレートが１２ミクロンの厚さであることを示す略号であり、他も同様に、材質、厚さ(ミクロン)を表す。
【００８８】
【表２】
2019011132.tif 000004
【００８９】
この結果と前述の水蒸気透過率、酸素透過率の実施例の結果を合わせれば、内容物、特に表面有機コートの有無にあわせ、適当な材質を選ぶことにより、メソポーラスシリカのような吸着材を用いて、ペプチドの分析のような重要かつ繊細な測定を行う際に、吸着材の劣化の可能性の低い吸着剤収納容器パッケージを提供することができる。
またそのパッケージの形状に関する発明により、ラベル等が見えにくいための見落としや使いにくさを解消することもできる。
【符号の説明】
【００９０】
１    管状容器
２    ラック
３    ガゼット袋
４    蓋
１０  吸着材収納容器パッケージ
【図１】
2019011132.tif 000005
【図２】
2019011132.tif 000006